(57)【要約】【課題】  山菜採りに使用されるリュックサックにおいて、山菜等を収納時又は山菜等を運搬時に、使い易い構造を備えたリュックサックを提供するものである。【解決手段】  本考案のリュックサックは、前記リュックサック本体１の上面開口部の上端縁を内下方に折り返して縫着し、開口周縁に所定幅の円筒袋部とした口紐通し３を設け、該口紐通し３の正面側及び背面側の中央表面に前記口紐通しに連通する口紐通し鳩目４を形成すると共に、所定長さのロープ状口紐８を前記リュックサック本体背面の背負いベルト２の固定個所に設けた金属製結び金輪９に締結し、前記口紐８の先端を背面側の口紐通し鳩目４に挿通し、夫々左右の口紐通し鳩目を通して左右別々に口紐が前記口紐通し３の円筒袋部を通って、前記正面側の口紐通し鳩目から口紐８の先端が引き出されてなるものである。【選択図】  図１
0003105207.tif 000002
【実用新案登録請求の範囲】
【請求項１】
耐水性のテント生地からなる直方体形状のリュックサック本体と、該リュックサック本体の背面上部に上端部を固定され、下端部を底部に固定された左右２本の背負いベルトとからなるリュックサックにおいて、前記リュックサック本体の上面開口部の上端縁を内下方に折り返して縫着し、開口周縁に所定幅の円筒袋部とした口紐通しを設け、該口紐通しの正面側及び背面側の中央表面に前記口紐通しに連通する口紐通し鳩目を形成すると共に、所定長さのロープ状口紐を前記リュックサック本体背面の背負いベルトの固定個所に設けた金属製結び金輪に締結し、前記口紐の先端を背面側の口紐通し鳩目に挿通し、夫々左右の口紐通し鳩目を通して左右別々に口紐が前記口紐通しの円筒袋部を通って、前記正面側の口紐通し鳩目から口紐の先端が引き出されてなることを特徴とするリュックサック。
【請求項２】
耐水性のテント生地からなる直方体形状のリュックサック本体と、該リュックサック本体の背面上部に上端部を固定され、下端部を底部に固定された左右２本の背負いベルトとからなるリュックサックにおいて、前記背負いベルトは、夫々バックルにより上下に分離できるように本体ベルトと補助ベルトからなり、前記本体ベルトはリュックサック本体背面上部に上端部を縫着され、やや幅広で所定の厚さを有し、肩部への食い込みを防止する布製ベルトで自由端の分離個所には雌バックルが縫着されると共に、前記本体ベルトの中間部には、ほぼ胸部位置で前記本体ベルトを近寄せることが出来るように、一方の本体ベルトに雌バックルを備え、他方の本体ベルトに雄バックルを備えた胸締付けベルトを設け、一方、前記補助ベルトはリュックサック本体底部に下端部を縫着され、本体ベルトより細幅で途中に前記本体ベルトの雌バックルを嵌合する雄バックルが係止された長さの長い延長部を備えることを特徴とするリュックサック。
【請求項３】
前記リュックサック本体の内側底部には、略底部の大きさの合成皮革を縫着し、前記合成皮革の中央にはリュックサック内部と外部とを連通させる２個の水抜き穴を設けることを特徴とする請求項１又は２記載のリュックサック。
【考案の詳細な説明】
【技術分野】
【０００１】
本考案は、山登りや山歩き時に背負って荷物を運搬することができるリュックサック、特に山菜採りに使用されるリュックサックに関する。
【背景技術】
【０００２】
従来、山菜採りに使用されるリュックサックは、山登りや山歩き時に背負って荷物を運搬することができる登山用のリュックサックを使用していた（特許文献１を参照）。
しかし、この登山用のリュックサックは、山で使用する携帯品や食糧を平地から積め込んで運搬するように想定されているので、山で採った山菜等を入れて運搬する構造には形成されていなかった。
すなわち、山菜採りは、空っぽのリュックサックを背負って登山し、山中で山菜等を採ってリュックサックに一杯詰め、一杯になったリュックサックを背負って下山するものである。
そして、山菜等は水分を多く含んでおり、また傷み易いものであるため、リュックサックに山菜等を収納時又は山菜等を運搬時の使い易い構造に従来品を改良したリュックサックが望まれていた。
【０００３】
【特許文献１】実用新案登録第３０７０９７２号公報
【考案の開示】
【考案が解決しようとする課題】
【０００４】
本考案は、山菜採りに使用されるリュックサックにおいて、山菜等を収納時又は山菜等を運搬時に、使い易い構造を備えたリュックサックを提供するものである。
【課題を解決するための手段】
【０００５】
本考案のリュックサックは、耐水性のテント生地からなる直方体形状のリュックサック本体と、該リュックサック本体の背面上部に上端部を固定され、下端部を底部に固定された左右２本の背負いベルトとからなるものにおいて、前記リュックサック本体の上面開口部の上端縁を内下方に折り返して縫着し、開口周縁に所定幅の円筒袋部とした口紐通しを設け、該口紐通しの正面側及び背面側の中央表面に前記口紐通しに連通する口紐通し鳩目を形成すると共に、所定長さのロープ状口紐を前記リュックサック本体背面の背負いベルトの固定個所に設けた金属製結び金輪に締結し、前記口紐の先端を背面側の口紐通し鳩目に挿通し、夫々左右の口紐通し鳩目を通して左右別々に口紐が前記口紐通しの円筒袋部を通って、前記正面側の口紐通し鳩目から口紐の先端が引き出されてなるものである。
また、本考案のリュックサックは、耐水性のテント生地からなる直方体形状のリュックサック本体と、該リュックサック本体の背面上部に上端部を固定され、下端部を底部に固定された左右２本の背負いベルトとからなるものにおいて、前記背負いベルトは、夫々バックルにより上下に分離できるように本体ベルトと補助ベルトからなり、前記本体ベルトはリュックサック本体背面上部に上端部を縫着され、やや幅広で所定の厚さを有し、肩部への食い込みを防止する布製ベルトで自由端の分離個所には雌バックルが縫着されると共に、前記本体ベルトの中間部には、ほぼ胸部位置で前記本体ベルトを近寄せることが出来るように、一方の本体ベルトに雌バックルを備え、他方の本体ベルトに雄バックルを備えた胸締付けベルトを設け、一方、前記補助ベルトはリュックサック本体底部に下端部を縫着され、本体ベルトより細幅で途中に前記本体ベルトの雌バックルに嵌合する雄バックルが係止された長さの長い延長部を備えるものである。
さらに、前記リュックサック本体の内側底部には、略底部の大きさの合成皮革を縫着し、前記合成皮革の中央にはリュックサック内部と外部とを連通させる２個の水抜き穴を設けるものである。
【考案の効果】
【０００６】
本考案のリュックサックによれば、リュックサックの開口部に円筒袋部とした口紐通しを設けた為、開口部に口紐が露出しておらず、山菜の詰め込みや取り出しが抵抗なくできる。
また、リュックサックの底部に水抜き穴が形成されているので、山菜等に付着した水分を底部に溜まることなく簡単に排出することができる。
さらに、背負いベルトが分離できる構造となっているので、背負い動作や背降ろし動作が簡単に行えると共に、背負いベルトを上下２箇所で固定するので、特に重い場合にはリュックサックの横揺れを防止する効果がある。
【考案を実施するための最良の形態】
【０００７】
本考案のリュックサックは、耐水性のテント生地からなる直方体形状のリュックサック本体と、該リュックサック本体の背面上部に上端部を固定され、下端部を底部に固定された左右２本の背負いベルトとからなる。
前記リュックサック本体は、上面開口部の上端縁を内下方に折り返して縫着し、開口周縁に所定幅の円筒袋部とした口紐通しを設け、該口紐通しの正面側及び背面側の中央表面に前記口紐通しに連通する口紐通し鳩目を形成する。
さらに、所定長さのロープ状口紐が前記リュックサック本体背面の背負いベルトの固定個所に設けた金属製結び金輪に締結され、前記口紐の先端が背面側の口紐通し鳩目に挿通され、夫々左右の口紐通し鳩目を通して左右別々に口紐が前記口紐通しの円筒袋部を通って、前記正面側の口紐通し鳩目から口紐の先端が引き出される。
また、前記リュックサック本体の内側底部には、略底部の大きさの合成皮革を縫着し、前記合成皮革の中央にはリュックサック内部と外部とを連通させる２個の水抜き穴を設ける。
前記背負いベルトは、夫々バックルにより上下に分離できるように本体ベルトと補助ベルトからなる。
前記本体ベルトはリュックサック本体背面上部に上端部を縫着され、やや幅広で所定の厚さを有し、肩部への食い込みを防止する布製ベルトで自由端の分離個所には雌バックルが縫着されると共に、前記本体ベルトの中間部には、ほぼ胸部位置で前記本体ベルトを近寄せることが出来るように、一方の本体ベルトに雌バックルを備え、他方の本体ベルトに雄バックルを備えた胸締付けベルトを設ける。
一方、前記補助ベルトはリュックサック本体底部に下端部を縫着され、本体ベルトより細幅で途中に前記本体ベルトの雌バックルに嵌合する雄バックルが係止された長さの長い延長部を備える。
【実施例】
【０００８】
以下、本考案の一実施例を図面に基づいて説明すると、
図１に示すように、本考案のリュックサックは、耐水性のテント生地からなる直方体形状のリュックサック本体１と、該リュックサック本体１の背面上部に上端部を固定され、下端部を底部に固定された左右２本の背負いベルト２とからなる。
前記リュックサック本体１は、上面開口部の上端縁を内下方に折り返して縫着し、開口周縁に所定幅の円筒袋部とした口紐通し３を設け、該口紐通し３の正面側及び背面側の中央表面に前記口紐通し３に連通する口紐通し鳩目４を形成する。
また、前記背面側の口紐通し鳩目４の個所には、前記口紐通し鳩目４の幅より広い矩形状の耐水性のテント生地からなる被い蓋５を前記鳩目形成時に同時に前記口紐通し３表面に固定し、前記被い蓋５の自由端には所定間隔で左右２本の雌バックル６を設ける。
一方、前記雌バックル６に嵌合する雄バックル７を図２に示すように前記リュックサック本体１の正面側上部に前記雌バックル６と同幅で縫着する。
【０００９】
次に、図１に示すように、所定長さのロープ状口紐８が前記背面の背負いベルト２の固定個所に設けた金属製結び金輪９に締結され、前記口紐８の先端が背面側の口紐通し鳩目４に挿通され、夫々左右の口紐通し鳩目４を通して左右別々に口紐８が前記口紐通し３の円筒袋部を通って、図２に示すように前記正面側の口紐通し鳩目４から口紐８の先端が引き出される。
また、図１に示すように前記リュックサック本体１の内側底部には、略底部の大きさの合成皮革１０を縫着し、前記合成皮革１０の中央には前記合成皮革１０と外部とを連通させる２個の水抜き穴１１を設ける。
図２に示すように、前記リュックサック本体１の正面側の下半部には、リュックサック本体１の幅方向に左右２個の大ポケット１２及び中ポケット１３を形成し、それぞれの大ポケット１２及び中ポケット１３の開口部を被う側部被い１４を備えたポケット蓋１５を形成すると共に、前記リュックサック本体１の片側面側の下部には、小ポケット１６を形成し、同様に小ポケット１６の開口部を被う側部被い１４を備えたポケット蓋１５を形成する。
そして、前記大ポケット１２、中ポケット１３、小ポケット１６及びポケット蓋１５の中央部には、それぞれ雄バックル７及び雌バックル６を縫着し、バックル１７により係脱自在に構成する。
【００１０】
図１に示すように、前記背負いベルト２は、夫々雄バックル７及び雌バックル６により上下に分離できるように本体ベルト１８と補助ベルト１９からなる。
前記本体ベルト１８はリュックサック本体１背面上部に上端部を縫着され、やや幅広で所定の厚さを有し、肩部への食い込みを防止する布製ベルトで自由端の分離個所には雌バックル６が縫着される。
また、本体ベルト１８の中間部には、ほぼ胸部位置で前記本体ベルト１８を近寄せることが出来るように、一方の本体ベルト１８に雌バックル６を備え、他方の本体ベルト１８に雄バックル７を備えた胸締付けベルト２０を設ける。
一方、前記補助ベルト１９はリュックサック本体１底部に下端部を縫着され、本体ベルト１８より細幅で途中に前記本体ベルト１８の雌バックル６に嵌合する雄バックル７が係止された長さの長い延長部２１を備える。
【００１１】
次に、本考案のリュックサックの作用について、以下に図面に基づいて説明する。
山菜等を採りに出かける時には、図２に示す大ポケット１２には昼食等の食料品を収納し、中ポケット１３にはペットボトル等の飲料水を収納し、小ポケット１６には山刃や小物を収納する。
また、大ポケット１２及び中ポケット１３のバックル下端に縫着した鈴用フック２２に熊避け用のカウベル等の鈴を付けることができる。
採った山菜をリュックサックに収納する時には、口紐８は口紐通し３内に挿通されているのでリュックサックの開口部に口紐８が露出しておらず、山菜が口紐８に引っ掛かることなく収納することが出来る。
また、山菜が水分を多量に含んでいても、リュックサック底部の合成皮革１０の水抜き穴１１から水が排出されるので安心してリュックサックへの詰め込みを行うことができる。
山菜を詰め終ったら、一方の手で口紐８の端部を握り、他方の手で口紐通し鳩目４を押すことでリュックサックの開口部を閉じ、口紐８を結び、被い蓋５を被せて雌バックル６及び雄バックル７を連結してリュックサックを塞ぐことができる。
その際、口紐８は、図１に示すように背負いベルト２の固定個所に設けた金属製結び金輪９に締結されているので、他方の手で口紐通し鳩目４を押した時に口紐８の長さが変わることなく両方均等にリュックサックの開口部を閉じることができる。
下山時には、背負いベルト２でリュックサックを背負ったら、本体ベルト１８に設けた胸締付けベルト２０を締めて背負いベルト２同士を近寄らせると共に、補助ベルト１９の延長部２１同士を腹部付近で結ぶ。
すなわち、背負いベルト２は、胸部を胸締付けベルト２０で、腹部を補助ベルト１９の延長部２１で夫々上下２箇所で固定するので、リュックサックが重くても横揺れを生じることがない。
下山途中で休憩する場合には、本体ベルト１８と補助ベルト１９を雄バックル７及び雌バックル６から分離し、簡単に背負いベルト２を肩部から外すことが出来るし、また背負う時にも雄バックル７及び雌バックル６を連結することにより簡単に背負うことができる。
【図面の簡単な説明】
【００１２】
【図１】本考案のリュックサックの背面側からの斜視図である。
【図２】本考案のリュックサックの正面側からの斜視図である。
【符号の説明】
【００１３】
１  リュックサック本体
２  背負いベルト
３  口紐通し
４  口紐通し鳩目
５  被い蓋
６  雌バックル
７  雄バックル
８  口紐
９  結び金輪
１０  合成皮革
１１  水抜き穴
１２  大ポケット
１３  中ポケット
１４  側部被い
１５  ポケット蓋
１６  小ポケット
１７  バックル
１８  本体ベルト
１９  補助ベルト
２０  胸締付けバルト
２１  延長部
２２  鈴用フック
【図１】
0003105207.tif 000003
【図２】
0003105207.tif 000004